(57)【要約】【課題】動物の排泄物を十分に保持するとともに、厚みの薄い動物用排泄物処理シートを提供することにある。また、床などに配置した際、滑り難い動物用排泄物処理シートを提供すること。【解決手段】本発明の動物用排泄物処理シート１は、パルプ繊維を含むパルプ繊維層２の一方の面に、熱融着性樹脂からなるフィルム層３が積層されて形成されている。パルプ繊維層２は、その坪量が２５〜１００ｇ／ｍ2、その飽和吸水量が２４０ｇ／ｍ2以上、その厚みが０．２ｍｍ〜１ｍｍである。フィルム層３は、ＪＩＳ  Ｋ  ７１２５に準じて測定された静摩擦係数が、０．４５以上である。【選択図】図１
2010119324.tif 000002
【特許請求の範囲】
【請求項１】
パルプ繊維を含むパルプ繊維層の一方の面に、熱融着性樹脂からなるフィルム層が積層されてなる動物用排泄物処理シートであって、
前記パルプ繊維層は、その坪量が２５〜１００ｇ／ｍ2、その飽和吸水量が２４０ｇ／ｍ2以上、その厚みが０．２ｍｍ〜１ｍｍであり、
前記フィルム層は、ＪＩＳ  Ｋ  ７１２５に準じて測定された静摩擦係数が、０．４５以上である動物用排泄物処理シート。
【請求項２】
前記熱融着性樹脂は、エチレン−メチルメタクリレート共重合体（ＥＭＭＡ）である請求項１に記載の動物用排泄物処理シート。
【請求項３】
前記パルプ繊維層は、ＪＩＳ  Ｐ  ８１４１に準じて測定された１５ｍｍ幅のクレム吸水高さが、１０秒で３０ｍｍ以上である請求項１又は２に記載の動物用排泄物処理シート。
【請求項４】
前記パルプ繊維層は、湿式不織布若しくは乾式パルプ不織布である請求項１〜３の何れかに記載の動物用排泄物処理シート。
【請求項５】
動物用排泄物処理シートがロール状に巻かれており、ロールの流れ方向と直行する方向に、一定の間隔でミシン目が形成されている請求項１〜４の何れかに記載の動物用排泄物処理シート。
【請求項６】
前記パルプ繊維層及び／又は前記フィルム層には、図柄、模様又はエンボスが施されている請求項１〜４の何れかに記載の動物用排泄物処理シート。
【請求項７】
前記パルプ繊維層及び／又は前記フィルム層には、消臭効果成分、抗菌剤の双方又は一方を含有している請求項１〜４の何れかに記載の動物用排泄物処理シート。
【請求項８】
動物用排泄物処理シートの２辺の縁部に沿って、滑り止め抑制手段が設けられている請求項１〜７の何れかに記載の動物用排泄物処理用シート。
【発明の詳細な説明】
【技術分野】
【０００１】
本発明は、動物の排泄物を処理する排泄物処理シートに関する。
【背景技術】
【０００２】
室内犬や猫等の動物の尿で、床を汚さないようにするための、使い捨ての動物用排泄物処理シートが知られている。例えば、特許文献１には、吸水シートとこの吸水シート層の下面に防水シート層とを有する動物用排泄物処理シートが開示されている。
【０００３】
【特許文献１】実開平０２−１２７１５５号公報
【発明の開示】
【発明が解決しようとする課題】
【０００４】
しかしながら、特許文献１の吸水シートには、動物の尿を吸収するための吸水ポリマーが介在しており、動物用排泄物処理シートが比較的厚くなってしまう。また、特許文献１の動物用排泄物処理シートは、防水シート層を下面に有しているが、適切な防水シート層を配さなければ、床などに配置した際、動物用排泄物処理シートが滑り易くなってしまう。そのような滑りの問題に関しては、特許文献１には、何ら開示されていない。
【０００５】
従って、本発明の目的は、動物の排泄物を十分に保持するとともに、厚みの薄い動物用排泄物処理シートを提供することにある。また、本発明の目的は、床などに配置した際、滑り難い動物用排泄物処理シートを提供することにある。
【課題を解決するための手段】
【０００６】
本発明は、パルプ繊維を含むパルプ繊維層の一方の面に、熱融着性樹脂からなるフィルム層が積層されてなる動物用排泄物処理シートであって、前記パルプ繊維層は、その坪量が２５〜１００ｇ／ｍ2、その飽和吸水量が２４０ｇ／ｍ2以上、その厚みが０．２ｍｍ〜１ｍｍであり、前記フィルム層は、ＪＩＳ  Ｋ  ７１２５に準じて測定された静摩擦係数が、０．４５以上である動物用排泄物処理シートを提供することにより前記目的を達成したものである。
【発明の効果】
【０００７】
本発明の動物用排泄物処理シートによれば、動物の排泄物を十分に保持するとともに、厚みを薄くすることができる。また、本発明の動物用排泄物処理シートによれば、床などに配置した際、滑り難い。
【発明を実施するための最良の形態】
【０００８】
以下、本発明の動物用排泄物処理シートの好ましい一実施形態について、図１〜図４に基づいて説明する。
【０００９】
本実施形態の動物用排泄物処理シート１は、図１に示すように、パルプ繊維を含むパルプ繊維層２の一方の面に、熱融着性樹脂からなるフィルム層３が積層されて形成されている。
【００１０】
パルプ繊維層２としては、湿式不織布、乾式パルプ不織布、スパンレース不織布等の不織布、パルプシート（紙）等が挙げられ、バインダー繊維以外の合成繊維を排除して、不織布形状に加工できる観点から、湿式不織布であることが好ましい。パルプ繊維を含む湿式不織布としては、例えば、パルプ繊維を紙状に抄いてシート状にしたものが用いられ、パルプ繊維１００質量％で構成されていてもよく、バインダー繊維等の接着剤又はパルプ間の水素結合等によりパルプ繊維同士が接着されたものであってもよい。パルプ繊維としては、例えば、機械パルプ、セミケミカルパルプ、化学パルプ等が挙げられる。これらのパルプ繊維は、１種を単独で用いても良く、２種以上を併用しても良い。
【００１１】
パルプ繊維層２にバインダー繊維等の接着剤を含む場合には、バインダー繊維等の接着剤の含有量は、好ましくは２０質量％以下であり、さらに好ましくは５質量％以下である。このようなパルプ繊維層２は、柔軟性が高く、ふんわり感が良好で、肌触りが良い。
【００１２】
パルプ繊維の繊維径は、柔軟性及び、ふんわりとした感触の観点から、好ましくは
１．８〜５．５ｄｔｅｘ、更に好ましくは２．２〜３．３ｄｔｅｘである。ここでｄｔｅｘ（デシテックス）は、１０，０００ｍ当りのグラム数で表した繊維の太さの単位である（ＪＩＳ  Ｌ０１０１で規定）。
また、パルプ繊維の繊維長については特に制限はされないが、湿式不織布若しくは乾式パルプ不織布の生産性の観点から５〜４０ｍｍが好ましい。
【００１３】
パルプ繊維層２は、その坪量が２５〜１００ｇ／ｍ2であり、パルプ繊維層の薄さと吸収量のバランスの観点から、好ましくは４０〜５０ｇ／ｍ2である。
上記坪量は、パルプ繊維層２を１００ｍｍ×１００ｍｍの寸法に切り出し、その重量を測定し、これを１ｍ2の重量に換算して求める。動物用排泄物処理シート１から、パルプ繊維層２を取り出す際に、フィルム層３が融着固定されている場合には、融着固定した部分を溶剤や、ドライヤー等による熱風により溶融させて取り除き、パルプ繊維層２を取り出して坪量を測定する。以上の測定を5回行い、その平均値を坪量とする。
【００１４】
パルプ繊維層２は、その飽和吸水量が２４０ｇ／ｍ2以上であり、吸収量の観点から、好ましくは３００ｇ／ｍ2以上である。
パルプ繊維層２の飽和吸水量は、以下の方法で測定する。
【００１５】
＜飽和吸水量の測定＞
２０℃、６５％ＲＴ環境下にて動物用排泄物処理シート１において、パルプ繊維層２とフィルム層３を剥がすことなく、２００ｍｍ×２００ｍｍの寸法に切り出し、２時間保存する。保存後の動物用排泄物処理シート１の重量を測定し、乾燥時の動物用排泄物処理シート１の重量（乾燥時重量）を求める。次に、大過剰の生理食塩水中に乾燥後の動物用排泄物処理シート１を全体が浸るように１０分間浸漬させた後、浸漬した動物用排泄物処理シート１の先端部１箇所をクリップで挟み、１０分間垂直状態に吊るした後に、その重量を測定する（吸収後測定）。飽和吸水量は次式から算出される。
飽和吸水量＝吸収後重量−乾燥時重量
以上の測定を５回行い、その平均値を飽和吸水量とする。
【００１６】
パルプ繊維層２は、その厚みが０．２ｍｍ〜１ｍｍであり、パルプ繊維層の薄さと吸収量のバランスの観点から、好ましくは０．２ｍｍ〜０．４ｍｍである。
上記厚みは、パルプ繊維層２を１００ｍｍ×１００ｍｍの寸法に切り出して、０．１８ｇｆ／ｃｍ2の荷重下で測定する。動物用排泄物処理シート１のフィルム層３が融着固定されている場合には、上記坪量の測定時と同様にして、パルプ繊維層２を取り出して厚みを測定する。以上の測定を5回行い、その平均値を厚みとする。
【００１７】
パルプ繊維層２は、ＪＩＳ  Ｐ  ８１４１に準じて測定された１５ｍｍ幅のクレム吸水高さが、１０秒で３０ｍｍ以上であることが好ましく、動物の排泄物、特に犬の尿を吸収し、吸収した尿を素早く拡散させ、パルプ繊維層２全体を使って吸収量を確保する観点から、好ましくは１０秒で２５ｍｍ以上である。クレム吸水高さの上限に特に制限はないが、１０秒で５０ｍｍ以下であると、尿のような排泄物がパルプ繊維層２の縁に到達するスピードを制御できるため、該縁が折れていたりしたときでも排泄物が縁から外へ漏れ出すことを防止可能となることから好ましい。
パルプ繊維層２のクレム吸水高さは、以下の方法で測定する。
【００１８】
＜クレム吸水高さの測定＞
動物用排泄物処理シート１から、パルプ繊維層２を取り出す際に、フィルム層３が融着固定されている場合には、融着固定した部分を溶剤や、ドライヤー等による熱風により溶融させて取り除き、パルプ繊維層２を取り出す。取り出したパルプ繊維層２をサンプルとして、ＪＩＳ  Ｐ  ８１４１の試験方法に準じてクレム吸水高さを測定する。具体的には、取り出したパルプ繊維層２を幅１５ｍｍ、長さ２００ｍｍにカットする。カットに際しては、押し切りカッターなど、サンプルを押しつぶす可能性のある切断方法は、結果に影響を及ぼす可能性が高く、好ましくない。そのため、カットに際しては、ナイフ、カッター、剃刀等を用いてサンプルの切断面が潰れないようにカットする。次に、ＪＩＳ  Ｐ  ８１４１に規定する冶具にカット後のサンプルをセットし、試験液に生理食塩水を用いて、１０秒後のクレム吸水高さを測定する。吸い上げ高さ判別を容易にするため、青色１号やメチレンブルー等の染料で試験液を適宜着色してもよい。以上の測定を５回行い、その平均値をクレム吸水高さとする。
【００１９】
フィルム層３は、熱融着性樹脂から形成されており、ＪＩＳ  Ｋ  ７１２５に準じて測定された静摩擦係数が、０．４５以上であり、滑り難さの観点から、好ましくは静摩擦係数が、０．４０以上である。静摩擦係数の上限に特に制限はないが、０．７０以下であることが、排泄物を吸収した後にフィルム層３被接地面との静摩擦力が弱まることによる、本発明のシート１が除去し易くなる点から好ましい。
フィルム層３の静摩擦係数は、以下の方法で測定する。
【００２０】
＜静摩擦係数の測定＞
フィルム層３がパルプ繊維層２の表面に固定されている場合には動物用排泄物処理シート１の状態で測定する。即ち、動物用排泄物処理シート１のフィルム層３の両面の内、パルプ繊維層２が積層されていない非積層側をサンプルとして、ＪＩＳ  Ｋ  ７１２５の試験方法に準じてフィルム層３の静摩擦係数を測定する。具体的には、２０℃、６５％ＲＨ環境下で測定する。フィルム層３（フィルム層３がパルプ繊維層２の表面に固定されている場合には動物用排泄物処理シート１）を縦×横＝１４０ｍｍ×６０ｍｍの大きさに切り出し、これを測定サンプルとする。次に、４０ｍｍ×４０ｍｍ×厚み４０ｍｍのステンレス板（４０ｍｍ×４０ｍｍの正面及び背面を有し、４０ｍｍ×４０ｍｍの側面を４面有し、その４面の中の一面の幅方向中央部の底部から８ｍｍの所につり手が設けられたステンレス製の治具）に、測定サンプルの測定面（フィルム層３のパルプ繊維層２が積層されていない側の非積層面）が表になるように巻きつけ固定して、測定用のスベリ片を得る。測定サンプルに弛みや皺が出ないように、ステンレス製の治具の背面全面を測定サンプルで覆い、つり手を通す穴を開けて貼りつけ、更にステンレス製の治具の正面を、テープを用いて貼り付けてスベリ片を得る。
【００２１】
次いで、摩擦係数測定で滑らせる台（縦２００ｍｍ×横１００ｍｍのフローリング材）を形成する。具体的には、摩擦係数測定で滑らせる台上に、フィルム層３（フィルム層３がパルプ繊維層２の表面に固定されている場合には動物用排泄物処理シート１）を縦×横＝１５０ｍｍ×８０ｍｍの大きさに切り出し、測定面（フィルム層３のパルプ繊維層２が積層されていない側の非積層面）が表になるように、フローリング材上にシワが生じないないように、周りをテープで貼り付けて滑り測定台を形成する。この滑り測定台を水平に配置し、滑り測定台の測定面と前記スベリ片の背面（測定面）とが互いに当接するように前記スベリ片を配置する。該スベリ片上にスベリ片と重りの荷重が計５００ｇとなるように荷重をかけて、ステンレス製の治具のつり手を、引張速度３００ｍｍ／ｍｉｎ、引張距離１００ｍｍ、チャート速度３００ｍｍ／ｍｉｎの条件にて水平方向に引っ張り、摩擦係数の測定を行う。得られたチャートより常法に準じて静摩擦係数を求める。以上の測定を５回行い、その平均値を静摩擦係数とする。尚、５００ｇの荷重は、２ｋｇの仔犬の片足を想定したものである。また、４０ｍｍ×４０ｍｍ×４０ｍｍのステンレス板は、２ｋｇの仔犬の片足の大きさを想定したものである。
【００２２】
０．４５以上の静摩擦係数を有するフィルム層３を構成する熱融着性樹脂としては、ポリプロピレン（ＰＰ）、エチレン−メチルメタクリレート共重合体（ＥＭＭＡ）、ポリエチレン−ポリプロピレン共重合体、アイオノマー、エチレンビニルアセテート（ＥＶＡ）等が挙げられ、静摩擦係数の高い値及びフィルム柔軟性の観点から、エチレン−メチルメタクリレート共重合体（ＥＭＭＡ）が好ましい。パルプ繊維層２が、バインダー繊維等の接着剤を含まない又は含んでもその含有量が２０質量％以下である、パルプ繊維を含む湿式不織布若しくは乾式パルプ不織布である場合には、融着一体化を簡潔に行う観点から、エチレン−メチルメタクリレート共重合体（ＥＭＭＡ）を溶融し、該パルプ繊維を含む湿式不織布若しくは乾式パルプ不織布の片面にラミネートすることが好ましい。
【００２３】
フィルム層３は、防漏性の観点から、その坪量が好ましくは１０〜１００ｇ／ｍ2であり、シートの風合いの観点から好ましくは１０〜２５ｇ／ｍ2である。
上記坪量は、フィルム層３を１００ｍｍ×１００ｍｍの寸法に切り出し、その重量を測定し、これを１ｍ2の重量に換算して求める。動物用排泄物処理シート１から、フィルム層３を取り出す際に、フィルム層３がパルプ繊維層２に融着固定されている場合には、動物用排泄物処理シート１の坪量を先ず算出し、次に、融着固定した部分を溶剤や、ドライヤー等による熱風により溶融させて取り除き、パルプ繊維層２を取り出して、パルプ繊維層２の坪量を測定する。フィルム層３の坪量は、動物用排泄物処理シート１の坪量からパルプ繊維層２の坪量を差し引いた値とする。以上の測定を５回行い、その平均値を坪量とする。
【００２４】
動物用排泄物処理シート１は、動物の中でも犬、特に仔犬、室内犬の一回分の尿を十分に確保する観点から、縦の長さ３２０ｍｍ以上、横の長さ３２０ｍｍ以上であることが好ましい。動物用排泄物処理シート１の商品形態は、動物用排泄物処理シート１を１枚〜１００枚積み重ね、それを梱包した形態としてもよく、又は、図２に示すように、幅３２０ｍｍ〜６００ｍｍの帯状の動物用排泄物処理シート１をロール状に巻き取り、ロール形態としてもよい。動物用排泄物処理シート１をロール形態とした場合には、ロールの流れ方向と直行する方向に、１００ｍｍ〜１０００ｍｍの一定の間隔でミシン目を設け、使用時にはそのミシン目から切り離して使用するようにしてもよい。
【００２５】
本実施形態の動物用排泄物処理シート１においては、パルプ繊維層又はフィルム層に、図柄、模様又はエンボスが施されていてもよい。本シート１は薄いものであるため、図柄等を施すことによって、シートの表裏の認識がしやすくなる。パルプ繊維層とフィルム層双方に図柄、模様又はエンボスを施しても良いが、この場合には両層で図柄、模様を変えたり、エンボスパターンを異ならせることが好ましい。図柄等は、グラビア塗工などの各種印刷方法、及び、ヒートシール加工、超音波シール加工、高周波シール加工等の手段を用いることにより形成される。
【００２６】
また、本実施形態では、パルプ繊維層又は前記熱融着性樹脂に、消臭効果成分、抗菌剤を含有していてもよい。本発明の動物用排泄物処理シート１は薄くかつ吸収容量が高いものであることから、臭いがシート外に飛散し易いので、これら成分を配することによってそのような問題が生じることを抑制しうる。消臭剤及び抗菌剤としては、活性炭、ゼオライト、アモルファスシリカ、活性アルミナ、セピオライト、ベントナイト、カンクリナイト、フィトンチッドなどの天然物質等を用いることができる。
【００２７】
本実施形態の動物用排泄物処理シート１においては、図３に示すように、動物用排泄物処理シート１の４辺の周縁部、即ち、動物用排泄物処理シート１の長手方向の両端辺１ａ，１ｂ及び長手方向の両側辺１ｃ，１ｄのうち、２辺の縁部に沿って滑り止め手段が設けられていることがシートを安定的に配置できるので好ましい。特に、対向する２辺、即ち、両端辺１ａ，１ｂ又は両側辺１ｃ，１ｄの縁部に設けられることによって、排尿された後にシートが滑りやすくなっても、その２辺ではシート位置を固定できるので、動物がシートをいたずらするような場合でも、シート中央領域Ｃではシートが変形し易く、他の２辺の縁部は変形し易くすることによって破れが防止されるが、滑り止め手段が配された２辺では変形が抑制されうるため、シートがひっくり返ったりすることを防止できる。
シート１がロール形態の場合には、個々のシートに切り離すミシン目に沿った切断により、シート縁部に非直線状態が形成されやすくなっている。これによっても滑り止め抑制手段となりうる。シートこのような効果を一層確実にするには、ミシン目をジグザグに設けたり、ミシン目の感覚を長めにしてシートの非直線形状が形成し易くする、などの手段が挙げられる。また、ミシン目を非連続状にする方法に替えて、ミシン目に沿った縁部領域に、（１）フィルム外側面に滑り止め手段を設ける手段、（２）パルプ繊維層中に高吸水性ポリマーを配してしフィルム層が濡れることを抑制する手段や、（３）フィルム層とパルプ繊維層の間に疎水性の材料（例えば、疎水性の接着剤）を配する手段、などが挙げられる。特に、（３）の手段では、大量の排尿時であったり、シートの縁に近いところで動物が排尿したような場合であっても、縁部からの尿漏れが防止されるので好ましい。
【００２８】
次に上述した本発明の本実施形態の動物用排泄物処理シート１を使用した際の作用効果について説明する。
本実施形態の動物用排泄物処理シート１は、図１に示すように、パルプ繊維を含むパルプ繊維層２の一方の面に、熱融着性樹脂からなるフィルム層３が積層されてなるものであり、パルプ繊維層２は、その坪量が２５〜１００ｇ／ｍ2、その飽和吸水量が２４０ｇ／ｍ2以上、その厚みが０．２ｍｍ〜１ｍｍの条件を同時に満たすものである。パルプ繊維層２の坪量が２５ｇ／ｍ2以上、飽和吸水量が２４０ｇ／ｍ2以上、且つ厚みが０．２ｍｍ以上であることにより、動物の排泄物、特に犬の尿を十分に保持することができる。また、パルプ繊維層２の坪量が１００ｇ／ｍ2以下、且つ厚みが１ｍｍ以下であることにより、図２に示すように、動物用排泄物処理シート１をロール状に巻き取り、ロール形態とした場合にコンパクトにすることができる。図４に示すように、ロール形態の動物用排泄物処理シート１の２本を１セットにし、それを梱包した商品形態にしてもコンパクトである。
【００２９】
また、本実施形態の動物用排泄物処理シート１は、図１に示すように、パルプ繊維を含むパルプ繊維層２の一方の面に、熱融着性樹脂からなるフィルム層３が積層されてなるものであり、パルプ繊維層２が、パルプ繊維１００質量％又はバインダー繊維等の接着剤を２０質量％以下含有するパルプ繊維を含む湿式不織布若しくは乾式パルプ不織布である場合には、動物の排泄物、特に犬の尿を保持した後、パルプ繊維が解れ易く、フィルム層３の自由度を妨げない。そのため、パルプ繊維層２の坪量が１００ｇ／ｍ2以下、且つ厚みが１ｍｍ以下であることにより、排泄後に動物、特に犬が、尿保持後の動物用排泄物処理シート１を引っ掻いても破れ難く、床を汚し難い。
【００３０】
また、本実施形態の動物用排泄物処理シート１は、図１に示すように、パルプ繊維を含むパルプ繊維層２の一方の面に、熱融着性樹脂からなるフィルム層３が積層されてなるものであり、フィルム層３は、ＪＩＳ  Ｋ  ７１２５に準じて測定された静摩擦係数が、０．４５以上の条件を満たすものである。そのため、動物用排泄物処理シート１を床などに配置した際、滑り難いものである。
【００３１】
本発明の動物用排泄物処理シートは、犬の尿以外にも、例えば、その他動物の尿、雌犬の経血、その他動物の雌の経血の処理等に好適に用いることができる。
【実施例】
【００３２】
以下、本発明を実施例により更に具体的に説明するが、本発明はこれらに限定されるものではない。
【００３３】
〔実施例１〕
繊維径３．３ｄｔｅｘのパルプ繊維９７％、バインダー３％の乾式パルプ不織布であって、目付４５ｇ／ｍ2、飽和吸水量３１０ｇ／ｍ2、厚み０．３５ｍｍの湿式不織布（クレム吸水高さ34ｍｍ）の一方の面に、エチレン−メチルメタクリレート共重合体（ＥＭＭＡ）からなる熱融着性樹脂をラミネートすることにより融着一体化し、目的とする動物用排泄物処理シートを得た。動物用排泄物処理シートのラミネート側の面（フィルム層）の静摩擦係数は、０．５８であった。目付、飽和吸水量、厚み及び静摩擦係数は、上述した方法により測定した。
【００３４】
〔比較例１〕
実施例１において、フィルム層としてＥＭＭＡの代わりにポリエチレン（ＰＥ）からなる熱融着性樹脂をラミネートすることにより融着一体化し、目的とする動物用排泄物処理シートを得た。動物用排泄物処理シートのラミネート側の面（フィルム層）の摩擦係数は、０．３２であった。実施例１と同様に、目付、飽和吸水量、厚み及び静摩擦係数は、上述した方法により測定した。
【００３５】
〔動物用排泄物処理シートの評価〕
実施例１及び比較例１の各動物用排泄物処理シートを縦の長さ３２０ｍｍ、横の長さ３２０ｍｍにカットした。カット後の各動物用排泄物処理シートの中央に、犬の一回分の尿の量に相当する３０ｃｃの生理食塩水を供給し、各動物用排泄物処理シートが生理食塩水を保持できるか否かを評価した。評価は、各動物用排泄物処理シートについて１０枚ずつ評価した。
生理食塩水が動物用排泄物処理シートから漏れずに保持できていた枚数が１０枚の場合をＡ（最高評価）、８〜９枚の場合をＢ、７枚以下の場合をＣ（最低評価）とした。これらの結果を下記表１に示す。
【００３６】
【表１】
2010119324.tif 000003
【００３７】
表１から明らかなように、実施例１の動物用排泄物処理シートは、厚みが薄いにもかかわらず、生理食塩水を十分に保持することができることがわかった。また、実施例１の動物用排泄物処理シートは、その摩擦係数が高いため、乾燥時には滑り難い。一方、供給した生理食塩水がシートの面方向に広く拡散することにより、シートは全体として湿潤後には相対的に滑り易いものである。また、ミシン目でできた非直線形状の縁によって当該縁は滑りにくい状態が保たれるので、シートがひっくり返ることが抑制可能となっている。
【図面の簡単な説明】
【００３８】
【図１】本発明の実施形態である動物用排泄物処理シートの断面図である。
【図２】本発明の実施形態である動物用排泄物処理シートのロール形態の斜視図である。
【図３】本発明の実施形態である動物用排泄物処理シートの平面図である。
【図４】図２に示すロール形態の動物用排泄物処理シート２本を梱包した状態の斜視図である。
【符号の説明】
【００３９】
１  動物用排泄物処理シート
１ａ，１ｂ  長手方向の両端辺
１ｃ，１ｄ  長手方向の両側辺
Ｃ  中央領域
２  パルプ繊維層
３  フィルム層
【図１】
2010119324.tif 000004
【図２】
2010119324.tif 000005
【図３】
2010119324.tif 000006
【図４】
2010119324.tif 000007